(57)【要約】電気掃除機は、吸入ノズル、該吸入ノズルに接続される筐体、および該筐体に設けられる吸入ファンモーターアセンブリを備える。ごみ収集容器は該筐体に設けられ、吸入ノズル、吸入ファンモーターアセンブリと連通する。サポートプレートは、回動可能に筐体に設けられ、被清掃面から埃やごみ屑を収集するための清掃シートを選択的に保持する。
2006515524.tif 000002
【特許請求の範囲】
【請求項１】
電気掃除機であって、
吸入ノズルと、
前記吸入ノズルに接続される筐体と、
前記筐体に取り付けられた吸入ファンモーターアセンブリと、
前記筐体に取り付けられ、前記吸入ノズルと前記吸入ファンモーターアセンブリとにつながるごみ収集容器と、
前記筐体に回動可能に設けられたサポートプレートと、
を備え、
前記サポートプレートは、被清掃面からほこり及びごみ屑を収集するための清掃シートを選択的に保持する電気掃除機。
【請求項２】
請求項１記載の電気掃除機であって、
さらに、
前記吸入ノズルと前記ごみ収集容器との間に延びた導管を備える電気掃除機。
【請求項３】
請求項２記載の電気掃除機であって、
前記導管は可撓性ホースを有する電気掃除機。
【請求項４】
請求項１記載の電気掃除機であって、
前記ごみ収集容器はフィルターバックを備える電気掃除機。
【請求項５】
請求項１記載の電気掃除機であって、
前記ごみ収集容器はごみ用カップを備える電気掃除機。
【請求項６】
請求項５記載の電気掃除機であって、
前記ごみ用カップは吸気口と排気口を備え、
前記吸気口は、前記吸入ノズルの排気口につながり、
前記ごみ用カップの排気口は、前記吸入ファンモーターアセンブリの吸気口とつながる電気掃除機。
【請求項７】
請求項６記載の電気掃除機であって、
さらに、
前記ごみ用カップに取り外し可能に装着されたフィルタを備えることを特徴とする電気掃除機。
【請求項８】
請求項１記載の電気掃除機であって、
前記清掃シートは静電素材から成る電気掃除機。
【請求項９】
請求項１記載の電気掃除機であって、
前記サポートプレートは凸型表面を備える電気掃除機。
【請求項１０】
請求項５記載の電気掃除機であって、
さらに、前記ごみ用カップを前記筐体に選択的に固定させるためのラッチを備える電気掃除機。
【請求項１１】
請求項１記載の電気掃除機であって、
前記サポートプレートは、ユニバーサルジョイントを介して、前記筐体に回動可能に接続される電気掃除機。
【請求項１２】
請求項１記載の電気掃除機であって、
前記吸入ノズルは前記筐体に回動可能に接続される電気掃除機。
【請求項１３】
請求項１２記載の電気掃除機であって、
さらに、動作位置と非動作位置のいずれか１つに、前記吸入ノズルをロックするための一対の移動止めを備える電気掃除機。
【請求項１４】
請求項１記載の電気掃除機であって、
前記吸入ファンモーターは、電源コードを介して、交流により動力を供給される電気掃除機。
【請求項１５】
請求項１記載の電気掃除機であって、
さらに、前記吸入ファンモーターに動力を供給するために、前記筐体に設けられた取り外し可能なバッテリーパックを備える電気掃除機。
【請求項１６】
請求項１記載の電気掃除機であって、
さらに、
前記吸入ファンモーターに動力を供給するために、前記筐体に設けられた充電可能なバッテリーと、
前記充電可能なバッテリーを充電することが可能な充電ステーションと、
を備える電気掃除機。
【請求項１７】
請求項１記載の電気掃除機であって、
前記サポートプレートは、前記サポートプレートに前記清掃シートを固定するための少なくとも１つのクリップを有する上面を備える電気掃除機。
【請求項１８】
請求項１記載の電気掃除機であって、
さらに、
前記筐体から延設されるハンドルを備える電気掃除機。
【請求項１９】
請求項１８記載の電気掃除機であって、
さらに、
前記吸入ファンモーターアセンブリの動作を制御するために、前記ハンドルに配置された電源スイッチを備える電気掃除機。
【請求項２０】
請求項１８記載の電気掃除機であって、
さらに、
被清掃面に対し洗浄液をまくために、前記吸入ノズルに設けられたスプレーノズルと、
前記ハンドルに設けられた洗浄液容器と、
を備えることを特徴とする電気掃除機。
【請求項２１】
請求項１記載の電気掃除機であって、
さらに、
前記吸入ファンモーターアセンブリの動作を制御するために、前記筐体に配置された電源スイッチを備える電気掃除機。
【請求項２２】
請求項１記載の電気掃除機であって、
さらに、
少なくとも１枚の予備の洗浄シートを保持するための手段を備える電気掃除機。
【請求項２３】
請求項１記載の電気掃除機であって、
さらに、
前記吸入ノズルに設けられたワイパーブレードを備える電気掃除機。
【請求項２４】
請求項１記載の電気掃除機であって、
さらに、
前記吸入ノズルに設けられた複数の剛毛ブラシを備える電気掃除機。
【請求項２５】
電気掃除機であって、
清掃シートを選択的に保持するサポートプレートと、
前記サポートプレートに回動可能に接続されるハンドルと、
前記ハンドルおよび前記サポートプレートのうちのいずれかに設けられる筐体と、
前記筐体に設けられる、吸入ファンモーターアセンブリと、
前記筐体に設けられるごみ収集容器と、
前記筐体に接続される吸入ノズルと、
を備える電気掃除機。
【請求項２６】
請求項２５記載の電気掃除機であって、
前記ごみ収集容器は、ごみ用カップを備える電気掃除機。
【請求項２７】
請求項２５記載の電気掃除機であって、
少なくとも１つのクリップを介して、前記筐体は選択的に前記ハンドルに固定される電気掃除機。
【請求項２８】
請求項２５記載の電気掃除機であって、
前記サポートプレートは、ユニバーサルジョイントを介して前記ハンドルに回動可能に接続されている電気掃除機。
【請求項２９】
請求項２５記載の電気掃除機であって、
さらに、
前記吸入ファンモーターアセンブリの動作を制御するための電源スイッチを備える電気掃除機。
【請求項３０】
請求項２５記載の電気掃除機であって、
前記吸入ノズルは、少なくとも１つのクリップを介して、取り外し可能に前記サポートプレートに固定される電気掃除機。
【請求項３１】
請求項３０記載の電気掃除機であって、
前記少なくとも１つのクリップは前記サポートプレートに設けられ、前記清掃シートを前記サポートプレートに選択的に固定するようにも機能する電気掃除機。
【請求項３２】
電気掃除機であって、
吸入ノズルと、
前記吸入ノズルに接続している筐体と、
前記筐体に設けられる吸入ファンモーターアセンブリと、
前記筐体に設けられ、前記吸入ノズルおよび吸入ファンモーターアセンブリと連通するごみ収集容器と、
被清掃面に沿って前記電気掃除機を移動させる際に握れるよう、前記筐体から延設されたハンドルと、
前記吸入ファンモーターアセンブリについて、少なくとも一時的な動作を提供するスイッチと、
前記筐体に回動可能に設けられ、被清掃面から埃とごみ屑を収集するための前記清掃シートを選択的に保持するサポートプレートと、
を備える電気掃除機。
【請求項３３】
請求項３２記載の電気掃除機であって、
前記スイッチは、オフ位置にばね付勢される電気掃除機。
【請求項３４】
請求項３２記載の電気掃除機であって、
前記スイッチは、前記ハンドルに配置される電気掃除機。
【請求項３５】
請求項３２記載の電気掃除機であって、
前記スイッチは、前記筐体に配置される電気掃除機。
【請求項３６】
請求項３５記載の電気掃除機であって、
さらに、
前記ハンドルに設けられたボタンを前記スイッチと接続するリンク機構を備える電気掃除機。
【請求項３７】
請求項３２記載の電気掃除機であって、
さらに、前記吸入ファンモーターアセンブリを稼動させる前記スイッチに、動作可能なように接続された電源を備える電気掃除機。
【請求項３８】
２つの別々の異なる選択作動モードを有する清掃装置であって、
被清掃面からごみ屑を吸入することから成る第１の動作モード、被清掃面から埃及びごみ屑を収集する清掃シートを使用することから成る第２の動作モードを含み、
前記清掃装置は、
筐体と、
前記筐体に設けられた吸入ファンモーターアセンブリと、
前記筐体に設けられたごみ収集容器と、
前記第１の動作モードを行うために、前記吸入ファンモーターアセンブリおよび前記ごみ収集容器と連通する吸入ノズルと、
回動可能に前記筐体に取り付けられたサポートプレートと、
を備え、
前記サポートプレートは、前記第２の動作モードを行うために選択的に清掃シートを保持することを特徴とする清掃装置。
【請求項３９】
請求項３８記載の電気掃除機であって、
前記清掃シートは静電素材から成る電気掃除機。
【請求項４０】
請求項３８記載の電気掃除機であって、
前記清掃シートは洗浄液により前もって湿らせたものである電気掃除機。
【請求項４１】
請求項３８記載の電気掃除機であって、
前記ごみ収集容器はごみ用カップを備える電気掃除機。
【請求項４２】
電気掃除機であって、
筐体と、
前記筐体に設けられる吸入ファンモーターと、
前記筐体に接続しているハンドルと、
前記筐体に回動可能に接続される第１清掃器具と、
前記筐体に回動可能に接続される第２清掃器具と、
前記筐体に設けられ、前記吸入ファンモーターアセンブリと連通するごみ収集容器と、
を備える電気掃除機。
【請求項４３】
請求項４２記載の電気掃除機であって、
前記第１清掃器具は吸入ノズルを備えることを特徴とする電気掃除機。
【請求項４４】
請求項４２記載の電気掃除機であって、
前記第２清掃器具はサポートプレートを備える電気掃除機。
【請求項４５】
請求項４４記載の電気掃除機であって、
さらに、
少なくとも１つのクリップにより、選択的に前記サポートプレートに固定される清掃シートを備える電気掃除機。
【請求項４６】
請求項４４記載の電気掃除機であって、
前記ごみ収集容器はごみ用カップを備えることを特徴する電気掃除機。
【請求項４７】
請求項４３記載の電気掃除機であって、
前記吸入ノズルはユニバーサルジョイントに接続される電気掃除機。
【請求項４８】
請求項４７記載の電気掃除機であって、
前記吸入ノズルは、前記ユニバーサルジョイントを基準として回動可能である電気掃除機。
【請求項４９】
請求項４７記載の電気掃除機であって、
前記サポートプレートは、前記ユニバーサルジョイントに接続される電気掃除機。
【発明の詳細な説明】
【技術分野】
【０００１】
本発明は、電気掃除機に関する。特に、本発明は、取り外し可能な清掃シートを有する清掃パッドと組み合わされた、スティック型または手持ち式の電気掃除機に関する。
【背景技術】
【０００２】
スティック型電気掃除機は、当業において周知である。これらの電気掃除機は、概して、従来のアップライト式掃除機よりも軽量で、従来の掃除機の駆動型ブラシロールがない。より軽量かつブラシロールがないことから、これらの掃除機は、ユーザーにとってより操作しやすいものである。また、これらは、従来のアップライト型掃除機よりも、より幅広い種類の表面に用いることができる。
【０００３】
例えば、スティック型電気掃除機は、ブラシロールがあると傷つく虞がある、カーペットのない床表面に対して使用されることが多い。また、スティック型電気掃除機は、届きにくいエリアを伴う表面または高い位置にある表面に用いられることも多い。従来のアップライト型電気掃除機と比較して、スティック型電気掃除機は、より軽量であり、かつ、よりコンパクトな設計であるため、より高い操作性と持ち上げやすさをもたらしている。
【０００４】
他のいかなる電気掃除機と同様に、吸入ファンまたはインペラを駆動する吸引モーターにより作り出される吸入力によって、汚れを載せた空気は、ノズルを通ってスティック型電気掃除機に吸い込まれる。汚れを載せた空気は、ごみ用カップまたはフィルタバッグ等の、ごみ収集容器へと移行する。ごみはこの容器に保持され、空気は排出される。
【０００５】
スティック型電気掃除機に替わるものとして、手持ち式電気掃除機がある。手持ち式電気掃除機のなかには、動力付回転ブラシを用いるものもあるし、単に、カーペット、床および上記床表面からごみ及び屑を吸入するためのノズルのみを用いるものもある。
【０００６】
手持ち式電気掃除機は、家、オフィス、車等にある様々な表面を清掃するために、かなり普及するようになった。これらは、特に、ちょっとした片づけ仕事、または、届きにくいところの清掃に利用される。手持ち式電気掃除機ユニットは、その性質上、キャニスタ、アップライト、スティックまたはショップ型電気掃除機が使用できないまたは使用しにくい場所で、ユーザーがそれらを手軽に利用できるようにするために軽量となっている。
【０００７】
もちろん、非動力式清掃用具も広く知られている。これらは、埃、ごみ及び／または液体を硬質表面から取り除くために使用される。箒は、一例である。近年になり、ハンドルと、取り外し可能な清掃シートを有する清掃パッドとを備えた清掃用具が、乾いた表面の清掃用に普及してきている。清掃シートには、被清掃面から埃及びごみ屑を拾い上げる能力がある。この清掃シートは、汚れたら捨てられ、清潔なものと交換される。このような製品は、SWIFFERTMという商標でプロクター・アンド・ギャンブルより販売されている。
【０００８】
この製品は、乾燥埃タイプの清掃をするための不織布を使用している。このようなシートは、概して、繊維が接着剤で接合され、または、他の方法で巻き込ませた、繊維の合成物を使用している。例えば、米国特許第３，６２９，０４７号及び第５，１４４，７２９号を参照されたい。耐久性のある拭取りシートを提供するために、連続フィラメントまたは網状構造の形状で、補強手段が短繊維に組み合わされている。このような清掃シートは、シートの表面を最大にして、粒状のごみを収集及び／または引きつけるための静電気特性を有する。
【０００９】
しかし、取り外し可能なシートを備えた清掃用具は、大きめのごみ屑または粒子を被清掃面からうまく取り除くことができない。このようなごみ屑には、動物の毛または柔毛、泥、屋外から入った砂または小石、食べかす、または、他の大きめのごみ屑の粒子が含まれる。
【００１０】
【特許文献１】米国特許第３，６２９，０４７号明細書
【特許文献２】米国特許第５，１４４，７２９号明細書
【発明の開示】
【発明が解決しようとする課題】
【００１１】
よって、スティック型電気掃除機または手持ち式電気掃除機のような電気掃除機の特性と、取り外し可能な清掃シートを備えた清掃パッドとを組み合わせた清掃用製品を提供することは有益であると思われる。したがって、前述の問題点等を克服する、新規かつ改良された清掃用品を開発し、電気掃除機と組み合わせる清掃パッドを提供することが望ましい。
【課題を解決するための手段】
【００１２】
本発明は、電気掃除機に関する。特に、本発明は、シートが取り付けられた清掃パッドを有する電気掃除機に関する。本発明の第１実施形態において、電気掃除機は、吸入ノズルと、該吸入ノズルに接続される筐体と、筐体に取付けられた吸入ファンモーターアセンブリと、筐体に取り付けられ、吸入ノズル及び吸入ファンモーターアセンブリに連通するごみ収集容器と、を備える。サポートプレートは、被清掃面からほこり及びごみ屑を収集するための清掃シートを選択的に保持するために、筐体に回動可能に設けられる。
【００１３】
本発明の他の実施形態によれば、電気掃除機は、清掃シートを選択的に保持するサポートプレートと、サポートプレートに回動可能に接続されるハンドルと、ハンドルおよびサポートプレートのうちのいずれかに設けられる筐体と、該筐体に設けられる吸入ファンモーターアセンブリと、を備える。ごみ収集容器は筐体に設けられ、吸入ノズルは筐体に接続される。
【００１４】
本発明の他の実施形態によれば、電気掃除機は、吸入ノズルと、該吸入ノズルに接続する筐体と、該筐体に設けられる吸入ファンモーターアセンブリと、該筐体に設けられ、吸入ノズルおよび吸入ファンモーターアセンブリと連通するごみ収集容器と、を備える。ハンドルは、被清掃面に沿って掃除機を移動させるために握れるよう、筐体から延びている。スイッチは、吸入ファンモーターアセンブリについて、少なくとも瞬間動作を提供する。サポートプレートは、被清掃面から埃とごみ屑を収集するための清掃シートを選択的に保持するため、筐体に回動可能に設けられる。
【００１５】
本発明の更なる実施形態によれば、２つの別個の異なる、選択動作モードを有する清掃装置が提供される。第１の動作モード、被清掃面からごみ屑を吸入することから成り、第２の動作モードは、被清掃面から埃及びごみ屑を収集するための清掃シートの使用から成る。この清掃装置は、筐体と、該筐体に設けられた吸入ファンモーターアセンブリと、該筐体に設けられたごみ収集容器と、第１の動作モードを行うために、吸入ファンモーターアセンブリ及びごみ容器に連通する吸入ノズルと、を備える。サポートプレートは、回動可能に筐体に取り付けられ、第２の動作モードを行うために選択的に清掃シートを保持する。
【００１６】
本発明のさらに別の実施形態によれば、電気掃除機は、筐体と、該筐体内に設けられる吸入ファンモーターと、筐体に接続しているハンドルと、回動可能に各々筐体に接続される第１及び第２の清掃器具と、を備える。ごみ収集容器は筐体に設けられ、吸入ファンモーターアセンブリにつながる。
【発明を実施するための最良の形態】
【００１７】
実施形態の詳細な説明
ここで図面を参照し、そこにおいて、開示は、本発明の好ましい実施形態のいくつかの説明を目的とするだけであり、本発明を限定するものではないが、FIG.１は、本発明の第１の実施形態に係る電気掃除機Ａを示すものである。
【００１８】
電気掃除機Ａは、スティック型のものとして示されており、吸入ノズル１０と、該吸入ノズルに接続される筐体１２と、該筐体に設けられる吸入ファンモーターアセンブリ１６（FIG.７）と、同様に該筐体に設けられ、吸入ノズル及び吸入ファンモーターアセンブリにつながるごみ収集容器１８と、を備える。サポートプレート２０もまた筐体に接続され、被清掃面から埃及びごみ屑を収集するための使い捨て清掃シート３０（FIG.１０）を選択的に保持する。
【００１９】
本電気掃除機は、さらに、筐体の第１端部４２から延びるハンドル４０を備える。グリップ３８は、ハンドルの末端から延設される。サポートプレートまたはクリーニングパッド部材２０は、例えば、従来からあるユニバーサルジョイント４４のような回動可能なジョイントによって、筐体の第２端部４３において筐体に取り付けることができるが、このジョイントは、筐体をサポートプレートに相互に接続する。周知のように、ユニバーサルジョイントによって、筐体及びハンドルが２つの回転軸「ｂ」と「ｃ」に沿って回動できる。
【００２０】
ここでFIG.２及びFIG.３を参照すると、筐体１２は、間隔をおいて概して平行な、筐体のフランジ４５,４６を介してユニバーサルジョイントの第１フォーク４１に取り付けられる。筐体をユニバーサルジョイントに回動可能に取り付けるため、ピン３９は、フランジ４５,４６及びフォーク４１内の、位置合わせされた孔を通って延設される。
【００２１】
FIG.１０を参照すると、ユニバーザルジョイントは、サポートプレートを筐体に回動可能に固定するために、サポートプレートの、間隔をおいたフランジ４８,４９においてサポートプレートと相互接続される第２フォーク４７を有する。第２フォーク４７は、第１フォーク４１の軸に対して垂直な回転軸を有する。フランジ４８,４９は、接続部材の貫通孔５１,５３と第２回転ジョイントの孔５７,５９とを介して伸びるドエルピンまたはプラグ５０でフォーク４７と相互接続される。キャップまたは封止部材５４は、接続部材及びジョイント４７の孔内にピン５０を固定する。２つのフォーク４１,４７は、フォークを形成する素材に応じて、接着剤、溶接等の従来の手段を使って、そのベースプレート６７に沿って互いに固定することが可能である。あるいは、全ジョイント部材を一体成形することも可能である。
【００２２】
FIG.１０を続いて参照すると、サポートプレート２０は、使用中、清掃シート３０を受け入れてサポートプレートの回りに保持するよう構成された複数の取り付け構造またはスリットの入ったクリップ５２を有する。このようなクリップは、米国特許第６，３０５，０４６号に詳細に記載されており、その全体は、参照によりここに組み込まれる。クリップ５２は、これらの配置がサポートプレートの大きさ及び形状により変更可能であるが、サポートプレートの角部の近くに配置される。このようにして、使い捨て清掃シート３０は、クリップ５２を用いてサポートプレートに取り外し可能に装着される。
【００２３】
FIG.４に最もよく示されているように、この取り付け構造は、各々、ベーストライアングル６０を有し、それは、その２本の側辺に沿って、取り付け構造を形成する可撓性材料を貫いて延びるスリット６１によって形状が定められる。ベーストライアングルの頂点６２は、スリット６１の交点により形成される。この取り付け構造は、さらに、実質的な共通点６５に集まる頂点６４を有する扇形部６３を複数含む。このような構造になっているので、指圧により、扇形部は、互いに相対的にめいめいに湾曲し、シートの一部が取り付け構造の上面を介して、取り付け構造内に形成された空洞内（図示せず）に押し込められる。
【００２４】
シートが取り付け構造またはクリップ５２の上面を越えて押し込まれるので、扇形部の頂点とベーストライアングルの頂点がシート３０を突き通して係合させ、使用中、シートがサポートプレートの周りに保持される。周知のように、取り付け構造は、射出成形によりポリエチレンから形成され、サポートプレート上に配置されるねじ山（図示せず）によってサポートプレート内に保持される。このねじ山は取り付け構造に設けられたスロットに係合する。サポートプレート２０に清掃シート３０を選択的に取り付けるためにクリップ５２が示されているが、同じ目的のために使用できる構造は他に様々あると理解すべきである。例えば、協働するフックとループとによるファスナーをサポートプレートとシートとに備えることも可能である。また、ゴムバンドをシートの周囲に固定させることも可能である。バンドは、通常の状態では、サポートプレートの直径よりも小さいので、単にバンドをサポートプレートに合うように広げることにより、シートを選択的にサポートプレートに固定したり取り外したりすることが可能であり、清掃シートの外周でサポートプレート全体を覆うことができる。
【００２５】
サポートプレートは、クリップ５２が取り付けられる上面２１、および、清掃シート３０をその周りに引き伸ばす底面２２（FIG.６）を有する。サポートプレートの底面は、使用中、少なくとも清掃シートの一部と係合する。FIG.６に示すように、サポートプレート２０は、２００２年５月２日付で公開され、参照によりその全体がここに組み込まれる米国特許出願ＵＳ２００２／００５００１６Ａ１号に詳細に記載されているような凸形を有する。FIG.４およびFIG.１０を参照すると、バンパー２４は、サポートプレートの外側エッジを囲む。このバンパーは、発泡体、ゴムまたは他の弾力性あるいは可撓性材料により作ることができる。
【００２６】
FIG.１０を再度参照すると、取り外し可能な清掃シート３０は、スクラッビング層３１を有する。スクラッビング層３１は、清掃の間、汚れた表面に接触する清掃シートの部分である。このように、スクラッビング層として有用な材料は、この層が清掃過程でその完全な状態を保つように、十分に耐性を有するものでなければならない。例えば、静電クロスまたは静電パッドが使用可能である。このシートは、ポリエステルまたはポリプロピレンから作成可能であり、表面をこすると負電荷を生じる。これは、当該技術において周知である。密接して接触すると、汚れから清掃パッドに電子が移ることにより、その負電荷が増える。髪の毛及びごみ粒子は正電荷を有しており、そのためにシートにひきつけられる。
【００２７】
清掃シートを洗浄液と組み合わせて使用する場合、液体を吸収するために吸収層（図示せず）がスクラッビング層とともに採用されることもあることを理解されたい。もちろん、必要に応じて、より厚みのある液体吸収シートも使用可能である。例えば、内部スポンジ層を有するマイクロファイバーシートを使用することができる。あるいは、吸収層を有する清掃シートは、サポートプレートに設置される前に洗浄液によって濡らすことが可能である。これにより、洗浄液が被清掃面に溶着し、スクラッビング層によって、被清掃面から余分な物質を取り除くことができる。清掃シートを、洗浄液とともに（すなわちウェット状態）、または、洗浄液なしで（すなわちドライ状態）使用するかにかかわらず、清掃シートは、粒子状のものを取り除くことに加え、被清掃面のつや出し、ダスティング、バフ仕上げのような他の作用を促す。予め湿らせた清掃シートのパックを、本発明の清掃装置とともに使用するよう、顧客に小売商が販売することも可能であると考えられる。各シートが汚れた場合は、単に、それを廃棄し、新しい、清潔なものと取り替えればよい。
【００２８】
上記のように、清掃シートを用いる清掃用具に生じる問題は、清掃シートでは、粒状物質、大きめのごみ粒子、食べ物のくず、または外から持ち込まれた小石または破片等の、大きめのごみを効果的に拾い上げて保持することができない、という点である。したがって、この清掃用具に真空源を取り付けて、清掃シートでは効果的に拾い上げられない大きめの粒子を吸引するようにすると都合がよい。
【００２９】
よって、本発明の第１実施形態においては、スティック型掃除機が、サポートプレートおよび清掃シートと組み合わせて使用される。本実施形態において、ごみ収集容器１８は、ごみ用カップの形状をしている。FIG.９に示すように、ごみ用カップは、筐体の開口部または空洞部５５内に配置される。ごみ用カップは、ラッチ５６または他の固定機構により所定の位置に固定される。ごみ用カップは、少なくとも部分的に透明であり、熱可塑性樹脂材料から製造できる。ラッチ５６は、ごみ用カップの、開いた第１端部７２に形成されたスロット７０から、ばね付勢されたタブ５８を外す。
【００３０】
FIG.９を引き続いて参照すると、ごみ用カップは、開いた第１端部７２、および、閉じた第２端部７６を有する。第２タブ７４は、ごみ用カップの第２端部７６から延設され、筐体内の対応空洞部７８と係合する。ラッチアセンブリ５６は、ごみ用カップが筐体に取り外し可能に接続するようにする。ごみ用カップを洗浄するために取り外す際、ユーザーは、ラッチを押し、ごみ用カップ内のスロット７０（FIG.７により最も良く示されている）からタブ５８を取り外す。ごみ用カップを洗浄するためには、フィルターアセンブリ９０（FIG.８）をごみ用カップから持ち上げることによって、ごみ用カップからごみを取り除くことが必要となる。また、これによって、フィルタ媒体もしくはクロスの洗浄、または、フィルターアセンブリもしくはフィルタ媒体の交換をすることになる。
【００３１】
FIG.７を参照すると、吸気口８０は、ごみ用カップの第２端部に形成され、吸入ノズルの排気口８２につながる。排気口８１は、ごみ用カップの第１端部に形成され、吸入ファンモーターアセンブリに対する吸気口８３と連通する。フラッパーバルブ８６は、ごみ用カップ内のごみが吸入ノズルの排気口８２に落ちて戻ることを防ぐ。フラッパーバルブは、ゴムまたは周知の他の可撓性材料で作ることが可能である。
【００３２】
ここでFIG.８を参照すると、フィルターアセンブリ９０は、取り外し可能にごみ用カップの第１端部７２に取り付けられる。フィルターアセンブリは、フィルタ媒体９４が設けられたフィルターケージ９２を有する。本実施形態において、フィルタ媒体は、多孔質クロスまたは従来からある同様の材料により作成され、接着剤または他の方法でケージに固定できる。フィルターケージは、その第１端部上の端壁９６、および、その第２端部にあるオープンフレーム９８を有する。フィルタガスケット（図示せず）は、端部壁９６の上方表面の周辺まわりに配置できる。ガスケットは、ごみ用カップの空洞部を封止するように機能する。あるいは、フィルターケージ９２の材料に十分に可撓性を与え、ごみ用カップの内壁９１をフィルターケージで密閉するためのガスケット機能を果たすようにしてもよい。フィルターケージの端部壁９６は、９３をキーとして合わせるようにし、確実に一方の向きでのみ、ケージがごみ用カップ１８に設けられるようにする。キー９３を形成している凹部は、FIG.７に示すように、ごみ用カップのスロット７０を収容する。端部壁９６はまた、中央に位置する開口部９７（またFIG.７を参照）を有し、そこを通って、フィルタにより浄化された空気がごみ用カップの開口端部８１から流れ出ることができる。
【００３３】
ここでFIG.６を参照すると、好ましい実施形態において、可撓性ホースの形状の導管１００が、間に延設され、吸入ノズル１０の排気口をごみ用カップの吸気口８０に接続している。ホースの第１端部１０２は、吸入ノズルに接続し、中央部１０１は、ユニバーサルジョイントのベースプレート６７にある開口部１０３を通って延びており、第２端部１０４は、筐体吸気口１１８（FIG.９）を介してごみ用カップ吸気口に接続されている。
【００３４】
再度、FIG.１０を参照すると、吸入ノズル１０は、間隔を置いた一対のアーム１０６,１０８を介してサポートプレートに回動可能に接続されており、これらのアームは、ノズルの後方端部１１０から延設されている。アーム１０６,１０８は、各々、孔１１２,１１４を有し、そこを通って、ピン５０が、吸入ノズルをサポートプレートに回転可能に固定する。ここでFIG.５を参照すると、アームの各々は、その下方面に定められる、隣接した凹部１１６,１１７を有する。これらの隣接凹部は、サポートプレート上面２１のそれぞれの側に備えられた、弾力性のある移動止め１１９,１２０に係合またはその上に搭載することができる。これらの移動止めは、サポートプレート上面２１に配置されたスロット１２１,１２２にそれぞれ嵌めることができる。２つの位置、すなわち、FIG.３に示すような「ダウン」、つまり動作位置と、FIG.５に示すような「アップ」、つまり非動作位置のいずれかまで、この吸入ノズルを手動で回動または回転させる。吸入ノズルが２つの位置のうちの一つにロックするまで、隣接凹部は移動止めに沿って進む。動作位置において、吸入ノズルは、吸入をする対象の被清掃面と実質的に平行である。非動作位置は、ノズルが被清掃面にアクセスするのを妨げたりブロックしたりせずに、サポートプレートと清掃シートとにより表面を掃除できるようにする。また、シート３０は、汚れると、ノズルがアップ位置にあるときに取り除いたり交換したりすることができる。
【００３５】
FIG.６を参照すると、ホース１００は、サポートプレート２０の湾曲部１２４に隣接して配置され、その内部に配置できる。ホースは、また、屈曲または湾曲して、吸入ノズルの排気口付近のほぼ水平方向から、筐体の吸気口１１８（FIG.９）付近のほぼ垂直方向へと延びる。FIG.７に示すように、吸気口１１８は、ごみ用カップの入り口８０に隣接して配置される。このホースは、FIG.６とFIG.１０に最も良く示されるように、ユニバーサルジョイントアセンブリを通って延設される。
【００３６】
掃除機が使用されているとき、空気は短くかつ効率的な流路をたどる。再びFIG.７を参照すると、汚れを載せた空気は、吸入ノズルの吸気口１２６を通って引き込まれ、吸入ノズルを通って上へと移動し、吸入ノズルの排気口１０２（FIG.６）から出て導管または可撓性ホース１００内へ向かう。汚れを載せた空気は、ホースを通って引き込まれ、筐体の吸気口１１８に入り、ごみ用カップの吸気ダクト８０へと向かう。封止材（図示せず）により、導管とごみ用カップの吸気ダクトとの間が効果的に封孔処理される。その後、空気はバルブ８６を通ってごみ用カップへと引き上げられ、ごみ用カップの空洞部へ入り込む。重みがあるごみ粒子は、重力により、ごみ用カップの底壁１２７へ向かって落下する。空気がフィルターアセンブリを介して内部へ引き込まれるので、より軽い粒子はフィルタークロス９４に向かって引き上げられる。フィルタ媒体またはクロスは、ごみ用カップの底面に落下しなかった、より小さいごみ粒子を捕らえる。つまり、これらのごみ粒子は、底壁１２７に向かって落下するか、または、フィルタ媒体内にあるいはその上に保持される。
【００３７】
ほぼ浄化された空気は、その後、フィルターアセンブリの内部へ引き込まれ、フィルターケージの第１端部壁９６内の開口部９７を介してごみ用カップ排気口８１を通過する。空気が、排気口を通って、ファン吸気口８３を介して吸入ファン１６に入ると、浄化された空気は、モーター室の中へ吹き込み、モーターアセンブリを横切って、筐体内に形成されたエアベント１３０（FIG.３およびFIG.１１）を介して外へ出る。フィルターアセンブリ、ごみ用カップの排気ダクト、ファン吸気口および吸入ファンモーターアセンブリは、すべて、長手方向軸に沿って位置を合わせ、効率的な気流を実現する。筐体１２全体は、必要に応じて、従来からある熱可塑性樹脂材料のうち適切なものから作成する。
【００３８】
引き続きFIG.７を参照すると、吸入ファンモーターアセンブリ１６を作動させるために、ハンドルおよびモーター筐体の一方にアセンブリスイッチ１４０が備えられる。一実施形態において、スイッチはハンドルに配置される。スイッチアセンブリは、ハンドル４０のグリップ３８に位置するボタン１４２を含む。ボタン１４２は、手動で押されて、筐体内のマイクロスイッチ１４４を起動させる。リンク機構により、ボタン１４２とマイクロスイッチ１４４とが接続される。リンク機構は、端と端をつなぐ関係でハンドル４０を通る第１伸長ロッド１４６及び第２伸長ロッド１４７を含み得る。スプリングアセンブリ１４８,１４９に沿って、一対の伸長ロッドを用いることにより、マイクロスイッチ１４４とモーターアセンブリとの間で電力が失われない。ボタン１４２が押されると、次にロッド１４６,ロッド１４７を動かし、マイクロスイッチ１４４が押される。マイクロスイッチは回路を完結すると、次に吸入ファンモーターアセンブリに動力を供給する。吸入ファンモーターアセンブリに動力を供給するため、スイッチアセンブリは、このように、手動でアクセスできるボタン１４２を筐体内のマイクロスイッチ１４４に作動可能に接続する。スイッチ１４０は、スプリング１４８と１４９によって、「オフ」位置へとばね付勢させることができる。よって、ユーザーが手動で、「オン」位置へとスイッチを押すと、回路が完結し、電力が吸入ファンモーターに供給され、それらを作動させる。しかし、このスイッチは、吸入ファンモーターの一時的な動作を提供するにとどまり、ユーザーがスイッチボタンを押すのを止めるとすぐに、「オフ」位置へと付勢されて戻り、吸入ファンモーターの動作が止まる。
【００３９】
必要に応じて、バッテリーパック１５２（FIG.７）を用いて、吸入ファンモーターに電力を供給することもできる。ボタン１４２が押されると、吸入ファンモーター１６が吸入気流を生じさせる。
【００４０】
あるいは、スイッチ１４０は、従来からある「ロッカー」形式のものであってもよいが、これおいて、スイッチは、「オン」位置または「オフ」位置のいずれかに動かされる。本実施形態において、吸入ファンモーターを作動するために、スイッチ１４０は押されるかまたは「オン」位置に動かれて、カチッとはめこまれまたは固定され、こうして、吸入ファンおよびモーターアセンブリを連続的に作動させる。吸入ファンモーターアセンブリを止めるためには、スイッチが「オフ」位置へ押されて、カチッとはめこまれまたは固定される。これにより、スイッチが再び押されるまで、吸入ファンモーターがさらに作動しないようにする。
【００４１】
ここでFIG.１２を参照すると、本発明の他の実施形態によれば、予備の清掃シート３０’を収納するために、筐体１２’の後部にポケット１６０を備えることができる。また、電気コード１５４により、吸入ファンモーターおよび電気掃除機のスイッチアセンブリに交流（ＡＣ）が供給される。
【００４２】
ここでFIG.１９および１９Ａを参照すると、吸入ノズル１０’は、表面上に液体または固体粒子が存在する被清掃面を拭くためのワイパーブレード１６５を備えるが、これは、吸入ノズルの長さに沿って、そこの吸入開口部の後方に延設されている。ブレード１６５は、また、大きめなごみ屑の粒子をブロックして清掃シートに接触しないようにすることにより、サポートプレート２０’に装着された清掃シート（図示せず）を保護し、こうして、清掃シートの擦り減りまたは破れを防止する。
【００４３】
もう一つ別の実施形態においては、FIG.１３を参照すると、筐体１２”に取り付けられたハンドル４０”上に、クリップ１６４を介して小容器１６２を留めるまたは別の方法で固定することができる。この容器には、予備の清掃シートを収納できる。FIG.２０および２０Ａを参照すると、本実施形態においては、吸入ノズル１０”は、吸入ノズルの長さに沿って延設される一連の房１６７を有する剛毛ブラシ房アセンブリ１６６を含む。この剛毛ブラシ房により、被清掃面からごみ屑の粒子を掃き出すことが可能になり、サポートプレート２０”に装着された清掃シート（図示せず）にごみ屑が接触して、摩耗、破損といったようなダメージを清掃シートに与えることを防ぐ。
【００４４】
ここでFIG.１４を参照すると、 FIG.１〜FIG.１１に示したタイプの電気掃除機に洗浄液給水システム１７０を選択的に取り付けることが可能である。この洗浄液給水システムは、洗浄液１７４を含む洗浄液用ボトル１７２と、取り外し可能なキャップ１７６を備える。キャップ１７６は、ボトルにねじ固定され、ボトルに洗浄液を加える際に使用される。必要に応じて、このキャップは、ボトル１７２から洗浄液１７４が選択的に流れるようにする従来のバルブシステム(図示せず）のための制御を備えてもよい。この目的を達成するために、チューブ１７８は、ボトルの端部１８０に接続される第１端部１７９を有する。チューブの第２端部１８１は、被清掃面に洗浄液をスプレーまたは排出するスプレーヘッド１８２に接続される。ボトルは、筐体１９２のすぐ上において、電気掃除機のハンドル１９０に選択的にはめ込むことができる。この目的を達成するために、ボトル１７２の後側に、長手方向に延びた溝１９４を配置することが可能である。スプレーヘッド１８２は、接着固定またはそれ以外の方法で掃除機のノズル１９６に固定できる。ホース１７８を通常位置から押し動かすことにより、または、単にボトル１７２をハンドル１９０から外すことにより、掃除機のごみ用カップ１９８を筐体１９２から取り外すことができる。
【００４５】
あるいは、吸上ポンプまたはバルブ（図示せず）を、グリップ３８上のトリガー（図示せず）に接続して、ボトルからスプレーヘッドへの洗浄液の流れを制御し得る。洗浄液は、吸入ノズル１９６の前で噴霧される。当該技術で周知のように、外層に装着された吸収層を有する適切な清掃シート（図示せず）であれば、この洗浄液のほとんどを吸収できる。また、吸入ノズルによってある程度の洗浄液を吸入可能であり、ごみ用カップ１９８内にためることもできる。
【００４６】
本発明のさらにもう一つの別の実施形態によれば、携帯手持ち式掃除機を選択的に従来の清掃用具に装着することが可能である。FIG.１５を参照すると、手持ち式掃除機Ｃは、第１端部２１２および第２端部２１４を有する筐体２１０を有する。吸入ノズルまたはヘッド２１６は、可撓性ホース２１８等の導管を介して筐体第１端部２１２に選択的に接続される。ごみ用カップまたは容器２２０は、取り外し可能に筐体に装着される。この導管は、吸入ノズル２１６の排気口からごみ用カップの吸気口まで延びる。吸入ノズルは、さらに吸気口２２２を有する。このタイプの手持ち式掃除機の内部構成は、参照によりその全体がここに組み込まれる米国特許第６，３４７，４２８号に記載されている。
【００４７】
周知のように、吸引モーターファンは筐体内に設けられる。フィルターアセンブリは、ごみ用カップ付近に設けられ、空気を、ごみ用カップを出てモータファンアセンブリに流れ込む前に濾過する。空気を筐体から排出させ、換気を提供し、吸引モーターのために空気を引き込むために、排気スロット２２４が筐体に備えられる。モーター／ファンアセンブリに選択的に動力を提供するため、スイッチ２２６が、手持ち式掃除機のハンドル２２８に備えられる。ごみ用カップは、透明な熱可塑性樹脂材料から作られ、ごみ用容器に集められたごみや屑をユーザーが見ることができるようにしている。
【００４８】
手持ち式掃除機Ｃは、ストラップ２３２、または、フック・ループファスナーまたはクリップ等の他の留具手段によって、Procter & Gambleにより販売されるSWIFFER（商標）製品のような従来の清掃用具のハンドル２３０に装着できる。上記のように、SWIFFER（商標）清掃用具は、米国特許出願公開第ＵＳ２００２／００５００１６Ａ１号に詳細に記載されている。上方に向いたグリップタブ２３６を有し、また突起部分（例えばFIG.１６Ａの２３８）を有する２つのクリップ２３４によって、吸入ノズル２１６は、清掃用具のサポートプレート２３７に留めることができる。突起部分は、サポートプレート上の取り付け構造２３９のうちの２つにおいて使用できる。清掃シート（図示せず）でサポートプレート２３７を包み、その後、吸入ノズルをサポートプレートに留める。
【００４９】
ここでFIG.１６を参照すると、本発明のさらにまた別の実施形態において、従来の電気掃除機Ｄを従来の清掃製品のハンドル２３０’に選択的に装着することが可能である。このために、電気掃除機の筐体２５０は、その後側にハンドル２３０’の一部を選択的に収納できる、長手方向に延びた溝２５２を有する。この筐体は、サポートプレート２３７’をハンドル２３０’に接続するユニバーサルジョイント２５４上に留められる。導管２５８を介して筐体２５０に接続されるのは吸入ノズル２６０である。吸入ノズル２６０は、クリップ２６２によりサポートプレート２３２’上に留められる。これらは、クリップごとに（FIG.１６Ａ参照）に、２つの突起部材を備えることができる。本実施形態においては、クリップ２３９’によりサポートプレート２３７’に清掃シート（図示せず）が装着され、突起部材２３８がクリップ２３９’を通って押し込められて、シートを定位置に捉え、サポートプレートに吸入ノズルを固定する。シートが汚れて交換が必要な場合には、まずクリップ２６２が外される。その後、シートがサポートプレートのクリップ２３９’から取り外される。本実施形態において、Black & Deckerにより販売されているVERSAPAK（商標）製品のような、取り外し可能なバッテリーパック２７０（FIG.１６Ｂ）が筐体２５０内のスロット２７２へ挿入され、筐体２５０内の吸入ファンモーターアセンブリに動力を提供する。このようなバッテリーパック２７０が２つ図示されている。これらは、スロット２７２から取り外し、必要に応じて充電できる。
【００５０】
ここでFIG.１７を参照すると、本発明のさらなる実施形態は、ごみ用カップ３０２が取り付けられた筐体３００を有する電気掃除機を備える。導管３０４は、筐体３００および吸入ノズル３０６の間に延設される。筐体は、ハンドル３１８の一部を選択的に収納するための、その後側に長手方向に延びた溝３１２を有する。筐体は、清掃パッド３１０をハンドル３１８に接続するユニバーサルジョイント３１９上にとめられる。
【００５１】
吸入ノズルは、クリップ３０８を用いて清掃パッド３１０の上にクリップでとめることができる。クリップごとに、（FIG.１６Ａで示したタイプの）２つの突起部材を有することができる。清掃シート（図示せず）は、クリップ３０９を介して清掃パッドに装着され、その突起部材はクリップ３０９のなかに押し込まれ、それにより、清掃シートを定位置に固定し、かつ、清掃パッドに吸入ノズルも固定できる。
【００５２】
本実施形態においては、充電のために、筐体３００は、選択的にハンドル３１８から分離されており、バッテリーパックまたは筐体３００内に配置された他の電源（図示せず）を充電する電気接点（図示せず）を有する壁設置型充電器３２０に装着される。
【００５３】
ここでFIG.１８を参照すると、本発明に係るさらに別の電気掃除機の実施形態が示される。携帯型手持ち式掃除機Ｅは、第１端部４０２および第２端部４０４を有する筐体４００を備える。第１端部４０２は、吸入口４０８を有する取り外し可能な吸入ヘッド４０６を選択的に受け入れるスロット（図示せず）を備えることができる。あるいは、ヘッド４０６は、筐体４００に恒久的に装着されることも可能である。可撓性ホース等の導管４１０は、吸入ヘッドを筐体に接続する。吸入ファンモーターアセンブリ（図示せず）は、筐体４００内に設けられる。ごみ用カップ４１２は、取り外し可能に筐体の後方部分に装着される。
【００５４】
ジョイント４２４を介してサポートプレート４２２と筐体を接続するため、ステム４２０が少なくとも一つ、筐体の下側から延設される。ジョイントは、ユニバーサルジョイントまたはその目的を果たすために適切である他のジョイントであってもよい。ステム４２０は、ジョイントのフォーク４２８に取り付けられるフランジ４２６を有する。フォーク４２８は、サポートプレートと相互接続して、筐体にサポートプレートを回動可能に固定する。クリップ４３０は、サポートプレート４２２に清掃シート（図示せず）を固定する。
【００５５】
本発明は、いくつかの好ましい実施形態に準拠して記載された。
【００５６】
上記の詳細な説明を読み理解する際に、第３者が他の改良例および変更例を思いつくことは明らかである。本発明は、添付の請求項またはその均等物の範囲内にある限りは、すべてのこのような改良および変更例を含むものと解釈されることを意図している。
【００５７】
上で述べるように、好ましい実施形態を記載し、本発明は、上記のように主張される。
【図面の簡単な説明】
【００５８】
本発明は、特定の構成要素及び構造において、具体化され、その好ましい実施形態のいくつかは、添付図面において説明される。
【００５９】
FIG.１は、本発明の第１実施形態に係る、清掃パッドが取り付けられたスティック型電気掃除機の斜視図である。
【００６０】
FIG.２は、FIG.１の電気掃除機の正面図である。
【００６１】
FIG.３は、FIG.１の電気掃除機の側面図である。
【００６２】
FIG.４は、FIG.１の電気掃除機のサポートプレート及び吸入ノズルの拡大斜視図である。
【００６３】
FIG.５は、清掃シートにアクセスできるように、吸入ノズルが上側へ傾けられ、ごみ用カップが取り外された状態の、FIG.３の電気掃除機の拡大分解側面図である。
【００６４】
FIG.６は、ユニバーサルジョイントを介して延びるホースを示す、FIG.５の電気掃除機の断面における拡大組立側面図である。
【００６５】
FIG.７は、FIG.２の電気掃除機の拡大断面図である。
【００６６】
FIG.８は、FIG.４のごみ用カップの拡大分解斜視図である。
【００６７】
FIG.９は、FIG.１の電気掃除機の下部を示す拡大分解斜視図である。
【００６８】
FIG.１０は、FIG.１の電気掃除機の下部を示す分解斜視図である。
【００６９】
FIG.１１は、FIG.１の電気掃除機の後部斜視図である。
【００７０】
FIG.１２は、予備の清掃シートを保持するためのポケットを含む、本発明に係る電気掃除機の他の実施形態の後部斜視図である。
【００７１】
FIG.１３は、予備の清掃シートを保管するための小容器を有する、本発明に係る電気掃除機の他の実施形態の後部斜視図である。
【００７２】
FIG.１４は、洗浄液給水システムが装着された、本発明に係る電気掃除機のさらに別の実施形態の斜視図である。
【００７３】
FIG.１５は、ハンドル、サポートプレート及び清掃シートを有する従来の清掃用具に手持ち式電気掃除機が取り付けられた、本発明に係る電気掃除機のさらに別の実施形態の斜視図である。
【００７４】
FIG.１６は、FIG.１５の従来の清掃用具にスティック型電気掃除機を取り付けた、本発明に係る電気掃除機のさらに別の実施形態の分解斜視図である。
【００７５】
FIG.１６Ａは、FIG.１６の電気掃除機の吸入ノズルをサポートプレート上に取り付けるための取付けタブを示す拡大断面図である。
【００７６】
FIG.１６Ｂは、FIG.１６の電気掃除機に動力を供給するためのバッテリーパックの側面図である。
【００７７】
FIG.１７は、壁設置型充電器により充電される、本発明に係る電気掃除機のさらに別の実施形態の分解斜視図である。
【００７８】
FIG.１８は、清掃パッドが取り付けられた手持ち式掃除機を含む、本発明に係る電気掃除機のさらに別の実施形態の斜視図である。
【００７９】
FIG.１９は、FIG.１２の電気掃除機の吸入ノズルの、そこから延びるワイパーブレードを含む拡大正面図である。
【００８０】
FIG.１９Ａは、FIG.１９の吸入ノズルの側面図である。
【００８１】
FIG.２０は、FIG.１３の掃除機の吸入ノズルの、そこから伸びる剛毛ブラシの房を含む拡大正面図である。
【００８２】
FIG.２０Ａは、FIG.２０の吸入ノズルの側面図である。
【図１】
2006515524.tif 000003
【図２】
2006515524.tif 000004
【図３】
2006515524.tif 000005
【図４】
2006515524.tif 000006
【図５】
2006515524.tif 000007
【図６】
2006515524.tif 000008
【図７】
2006515524.tif 000009
【図８】
2006515524.tif 000010
【図９】
2006515524.tif 000011
【図１０】
2006515524.tif 000012
【図１１】
2006515524.tif 000013
【図１２】
2006515524.tif 000014
【図１３】
2006515524.tif 000015
【図１４】
2006515524.tif 000016
【図１５】
2006515524.tif 000017
【図１６】
2006515524.tif 000018
【図１７】
2006515524.tif 000019
【図１８】
2006515524.tif 000020
【図１９】
2006515524.tif 000021
【図２０】
2006515524.tif 000022
【国際調査報告】
2006515524.tif 000023
2006515524.tif 000024
2006515524.tif 000025
2006515524.tif 000026
2006515524.tif 000027
2006515524.tif 000028
2006515524.tif 000029